(57)【要約】【課題】各製造業者の負担を軽減し、廃棄物のリサイクルをより促進する廃棄物管理方法及びシステムが求められている。【解決手段】本発明は、廃棄物の輸送状況と最終処分の画像とを製造業者１に通知する手段を備えると共に、セメント生産施設に搬入されセメントキルンに投入された廃棄物がサーマルリサイクルされ、サーマルリサイクルの過程で産出された二次廃棄物はセメントの原料としてマテリアルリサイクルされる、広域認定制度に対応した廃棄物管理システムを提供する。【選択図】図１
2008242920.tif 000002
【特許請求の範囲】
【請求項１】
輸送業者がユーザーから廃棄物を回収する際に、該廃棄物に装着されたＩＣタグから、該廃棄物を識別する廃棄物識別データを回収情報用リーダライタが受信するステップと、
該回収情報用リーダライタと有線又は無線で接続された回収情報通知手段が、前記受信したことを前記廃棄物に係る製品を製造した製造業者の受信手段に通知するステップと、
前記廃棄物がセメント生産施設に搬入される際に、前記ＩＣタグから送信された前記廃棄物識別データを搬入情報用リーダライタが受信するステップと、
該搬入情報用リーダライタと有線又は無線で接続された搬入情報通知手段が、前記受信したことを前記製造業者の受信手段に通知するステップと、
前記廃棄物が前記セメント生産施設内のセメントキルンに投入される際に、撮影用リーダライタが前記ＩＣタグから送信された前記廃棄物識別データを受信するステップと、
該撮影用リーダライタに有線又は無線で接続された制御手段が、該撮影用リーダライタから送信された前記廃棄物識別データを受信すると、前記ＩＣタグが装着された前記廃棄物に対する撮影を開始することを指示する撮影開始指示信号を出力するステップと、
前記制御手段から前記撮影指示信号を受信した撮影手段が、前記ＩＣタグが装着された前記廃棄物に対する撮影を開始し、前記ＩＣタグが装着された前記廃棄物がセメントキルンに投入される様子を撮影して、該撮影した映像を出力するステップと、
映像送信手段が、該撮影手段から、該撮影手段が撮影した映像を受信し、該映像を前記製造業者の受信手段に送信するステップと
を含み、
前記セメントキルンに投入された廃棄物はサーマルリサイクルされ、サーマルリサイクルの過程で産出された二次廃棄物はセメントの原料としてマテリアルリサイクルされる、広域認定制度に対応した廃棄物管理方法。
【請求項２】
前記廃棄物が前記セメント生産施設に搬入される前に、廃棄物分別施設で廃棄物が分別される場合には、前記ＩＣタグから送信された前記廃棄物識別データを分別情報用リーダライタが受信して、該分別情報用リーダライタと有線又は無線で接続された表示手段が、受信された前記廃棄物識別データを表示するステップをさらに含む、請求項１に記載の広域認定制度に対応した廃棄物管理方法。
【請求項３】
前記ＩＣタグは、製品の性状・組成データと、処理方法の適用可否データと、容器封入時の注意事項データと、搬送上の注意事項データと、リサイクル処理時注意事項データとを予め記憶しており、廃棄物の回収、輸送及び処理時において、必要に応じて、該データを輸送業者又は処理業者のリーダライタが読み出して、該リーダライタと有線又は無線で接続された表示手段が、該データを表示するステップをさらに含む、請求項１又は２に記載の広域認定制度に対応した廃棄物管理方法。
【請求項４】
前記通知は、受信した廃棄物識別データと該廃棄物識別データが受信された時刻データとを前記製造業者の受信手段に送信することによって行われる、請求項１〜３のいずれか１項に記載の広域認定制度に対応した廃棄物管理方法。
【請求項５】
輸送業者がユーザーから廃棄物を回収する際に、該廃棄物に装着されたＩＣタグから、該廃棄物を識別する廃棄物識別データを受信する回収情報用リーダライタと、
該回収情報用リーダライタと有線又は無線で接続された回収情報通知手段であって、前記受信したことを前記廃棄物に係る製品を製造した製造業者の受信手段に通知する回収情報通知手段と、
前記廃棄物がセメント生産施設に搬入される際に、前記ＩＣタグから送信された前記廃棄物識別データを受信する搬入情報用リーダライタと、
該搬入情報用リーダライタと有線又は無線で接続された搬入情報通知手段であって、前記受信したことを前記製造業者の受信手段に通知する搬入情報通知手段と、
前記廃棄物が、前記セメント生産施設内のセメントキルンに投入される際に、前記ＩＣタグから送信された前記廃棄物識別データを受信する撮影用リーダライタと、
該撮影用リーダライタに有線又は無線で接続された制御手段であって、該撮影用リーダライタから送信された前記廃棄物識別データを受信すると、前記ＩＣタグが装着された前記廃棄物に対する撮影を開始することを指示する撮影開始指示信号を出力する制御手段と、
前記制御手段から前記撮影指示信号を受信して、前記ＩＣタグが装着された前記廃棄物に対する撮影を開始し、前記ＩＣタグが装着された前記廃棄物がセメントキルンに投入される様子を撮影して、該撮影した映像を出力する撮影手段と、
該撮影手段から、該撮影手段が撮影した映像を受信し、該映像を前記製造業者の受信手段に送信する映像送信手段と
を備え、
前記セメントキルンに投入された廃棄物はサーマルリサイクルされ、サーマルリサイクルの過程で産出された二次廃棄物はセメントの原料としてマテリアルリサイクルされる、広域認定制度に対応した廃棄物管理システム。
【請求項６】
前記廃棄物が前記セメント生産施設に搬入される前に、廃棄物分別施設で廃棄物が分別される場合には、ＩＣタグから送信された前記廃棄物識別データを受信する分別情報用リーダライタと、
該分別情報用リーダライタと有線又は無線で接続された表示手段であって、前記リーダライタが受信した前記廃棄物識別データを表示する表示手段とをさらに備える、請求項５に記載の広域認定制度に対応した廃棄物管理システム。
【請求項７】
前記ＩＣタグは、製品の性状・組成データと、処理方法の適用可否データと、容器封入時の注意事項データと、搬送上の注意事項データと、リサイクル処理時注意事項データとを予め記憶しており、廃棄物の回収、輸送及び処理時において、必要に応じて、該データを読み出す輸送業者又は処理業者のリーダライタと、
該リーダライタと有線又は無線で接続された表示手段であって、読み出した前記データを表示する表示手段とをさらに備える、請求項５又は６に記載の広域認定制度に対応した廃棄物管理システム。
【請求項８】
前記通知は、受信した廃棄物識別データと該廃棄物識別データが受信された時刻データとを前記製造業者の受信手段に送信することによって行われる、請求項５〜７のいずれか１項に記載の広域認定制度に対応した廃棄物管理システム。
【発明の詳細な説明】
【技術分野】
【０００１】
本発明は、廃棄物管理方法およびシステムに関するものである。
【背景技術】
【０００２】
近年、廃棄物については、製造業者が回収して処理することが求められるケースが増えてきている。例えば、特定の業種を示す制服や特定の企業のロゴを有する作業着等は、悪用されたり、オークションで売買されたりすることを防ぐために、製造業者が回収して確実に廃棄処分することが望ましい。また、ケイ酸カルシウム板等の建材を工事現場でカッティングすると、不要な端材が生じる。これらの不要な端材については、製造業者が回収して廃棄処分することを求められる場合が多い。
【０００３】
これらの回収した廃棄物については、自然環境に配慮してできる限りリサイクルして資源の有効活用を図る必要がある。このような製造業者による廃棄物の回収及びリサイクルを促進する制度として、改正廃棄物処理法（２００３年）で新設された「広域認定制度」が挙げられる。産業廃棄物の処理には原則として地方公共団体毎の許可が必要である。しかしながら、この広域認定制度により、認定を受けた製造業者は、地方公共団体毎の許可を得る必要なく、複数の都道府県にまたがって廃棄物の回収及びリサイクルを実施することができる。
【０００４】
このように、製造業者が、廃棄物を回収して確実に処理すること、この廃棄物の処理に際して出来る限りリサイクルを実施することへの社会的要求はますます高まっている。廃棄物を回収して確実に処理することについては、例えば、特許文献１に廃棄物管理システム及び方法が開示されている。
【特許文献１】特開２００６−３４４１２０号公報
【発明の開示】
【発明が解決しようとする課題】
【０００５】
しかしながら、回収した廃棄物のリサイクルを実現するシステムを各製造業者がそれぞれ構築することは、各製造業者にとって負担が大きくまた困難である場合が多い。加えて、各製造業者が自社の使用済み製品を回収し、リサイクルする場合、自社製品の再生産に不要な資源については、一般的に有効活用されていない。
【０００６】
そこで、各製造業者の負担を軽減し、廃棄物のリサイクルをより促進するシステム及び方法が求められている。
【課題を解決するための手段】
【０００７】
本発明に係る廃棄物管理方法は、輸送業者がユーザーから廃棄物を回収する際に、該廃棄物に装着されたＩＣタグから、該廃棄物を識別する廃棄物識別データを回収情報用リーダライタが受信するステップと、該回収情報用リーダライタと有線又は無線で接続された回収情報通知手段が、前記受信したことを前記廃棄物に係る製品を製造した製造業者の受信手段に通知するステップと、前記廃棄物がセメント生産施設に搬入される際に、前記ＩＣタグから送信された前記廃棄物識別データを搬入情報用リーダライタが受信するステップと、該搬入情報用リーダライタと有線又は無線で接続された搬入情報通知手段が、前記受信したことを前記製造業者の受信手段に通知するステップと、前記廃棄物が前記セメント生産施設内のセメントキルンに投入される際に、撮影用リーダライタが前記ＩＣタグから送信された前記廃棄物識別データを受信するステップと、該撮影用リーダライタに有線又は無線で接続された制御手段が、該撮影用リーダライタから送信された前記廃棄物識別データを受信すると、前記ＩＣタグが装着された前記廃棄物に対する撮影を開始することを指示する撮影開始指示信号を出力するステップと、前記制御手段から前記撮影指示信号を受信した撮影手段が、前記ＩＣタグが装着された前記廃棄物に対する撮影を開始し、前記ＩＣタグが装着された前記廃棄物がセメントキルンに投入される様子を撮影して、該撮影した映像を出力するステップと、映像送信手段が、該撮影手段から、該撮影手段が撮影した映像を受信し、該映像を前記製造業者の受信手段に送信するステップとを含み、前記セメントキルンに投入された廃棄物はサーマルリサイクルされ、サーマルリサイクルの過程で産出された二次廃棄物はセメントの原料としてマテリアルリサイクルされる、広域認定制度に対応した廃棄物管理方法である。
【０００８】
前記廃棄物管理方法においては、前記廃棄物が前記セメント生産施設に搬入される前に、廃棄物分別施設で廃棄物が分別される場合には、前記ＩＣタグから送信された前記廃棄物識別データを分別情報用リーダライタが受信して、該分別情報用リーダライタと有線又は無線で接続された表示手段が、受信された前記廃棄物識別データを表示するステップをさらに含むことができる。
【０００９】
また、前記ＩＣタグは、製品の性状・組成データと、処理方法の適用可否データと、容器封入時の注意事項データと、搬送上の注意事項データと、リサイクル処理時注意事項データとを予め記憶しており、廃棄物の回収、輸送及び処理時において、必要に応じて、該データを輸送業者又は処理業者のリーダライタが読み出して、該リーダライタと有線又は無線で接続された表示手段が、該データを表示するステップをさらに含むことができる。
【００１０】
加えて、前記通知は、受信した廃棄物識別データと該廃棄物識別データが受信された時刻データとを前記製造業者の受信手段に送信することによって行うことができる。
【００１１】
また、本発明に係る廃棄物管理システムは、輸送業者がユーザーから廃棄物を回収する際に、該廃棄物に装着されたＩＣタグから、該廃棄物を識別する廃棄物識別データを受信する回収情報用リーダライタと、該回収情報用リーダライタと有線又は無線で接続された回収情報通知手段であって、前記受信したことを前記廃棄物に係る製品を製造した製造業者の受信手段に通知する回収情報通知手段と、前記廃棄物がセメント生産施設に搬入される際に、前記ＩＣタグから送信された前記廃棄物識別データを受信する搬入情報用リーダライタと、該搬入情報用リーダライタと有線又は無線で接続された搬入情報通知手段であって、前記受信したことを前記製造業者の受信手段に通知する搬入情報通知手段と、前記廃棄物が、前記セメント生産施設内のセメントキルンに投入される際に、前記ＩＣタグから送信された前記廃棄物識別データを受信する撮影用リーダライタと、該撮影用リーダライタに有線又は無線で接続された制御手段であって、該撮影用リーダライタから送信された前記廃棄物識別データを受信すると、前記ＩＣタグが装着された前記廃棄物に対する撮影を開始することを指示する撮影開始指示信号を出力する制御手段と、前記制御手段から前記撮影指示信号を受信して、前記ＩＣタグが装着された前記廃棄物に対する撮影を開始し、前記ＩＣタグが装着された前記廃棄物がセメントキルンに投入される様子を撮影して、該撮影した映像を出力する撮影手段と、該撮影手段から、該撮影手段が撮影した映像を受信し、該映像を前記製造業者の受信手段に送信する映像送信手段とを備え、前記セメントキルンに投入された廃棄物はサーマルリサイクルされ、サーマルリサイクルの過程で産出された二次廃棄物はセメントの原料としてマテリアルリサイクルされる、広域認定制度に対応した廃棄物管理システムである。
【００１２】
前記廃棄物管理システムにおいては、前記廃棄物が前記セメント生産施設に搬入される前に、廃棄物分別施設で廃棄物が分別される場合には、ＩＣタグから送信された前記廃棄物識別データを受信する分別情報用リーダライタと、該分別情報用リーダライタと有線又は無線で接続された表示手段であって、前記リーダライタが受信した前記廃棄物識別データを表示する表示手段とをさらに備えることができる。
【００１３】
また、前記ＩＣタグは、製品の性状・組成データと、処理方法の適用可否データと、容器封入時の注意事項データと、搬送上の注意事項データと、リサイクル処理時注意事項データとを予め記憶しており、廃棄物の回収、輸送及び処理時において、必要に応じて、該データを読み出す輸送業者又は処理業者のリーダライタと、該リーダライタと有線又は無線で接続された表示手段であって、読み出した前記データを表示する表示手段とをさらに備えることができる。
【００１４】
加えて、前記通知は、受信した廃棄物識別データと該廃棄物識別データが受信された時刻データとを前記製造業者の受信手段に送信することによって行うことができる。
【発明の効果】
【００１５】
本発明にかかる廃棄物管理方法及びシステムでは、回収された廃棄物をセメント生産用の燃料及び原料として用いて、サーマルリサイクル及びマテリアルリサイクルを実現することにより、廃棄物のリサイクルをより促進することができる。なお、マテリアルリサイクルとは、製品を原料として再生利用することであり、環境負荷の少ないリサイクル方法である。サーマルリサイクルとは、廃棄物を燃料としてリサイクルし、燃焼させることによりエネルギーを回収するリサイクル方法である。
【００１６】
例えば、廃棄物が制服であった場合、制服をセメントキルンで焼却することによって、そこから生じる熱エネルギーをセメントの生産に用いることできる。すなわち、サーマルリサイクルが達成される。サーマルリサイクルの過程においては、焼却灰とフォックやファスナー等の金属類とが二次廃棄物として産出される。これらの二次廃棄物については、セメントの原料として用いて、マテリアルリサイクルを達成することができる。よって、より階層的で完全なリサイクルが達成できる。
【００１７】
セメントの原料には、上記に例示した焼却灰や金属類のほか、幅広い廃棄物を用いることが可能である。したがって、製造業者が回収して処分すべき廃棄物が、製造業者自身では、リサイクルして活用することが困難な場合、また、廃棄物の一部分しか活用できず、二次廃棄物のリサイクルが困難な場合であっても、廃棄物をセメント生産に用いることによって、より階層的で完全なリサイクルが可能となる。
【００１８】
製造業者にとっては、自社製品に係る廃棄物の階層的で完全なリサイクルが可能となることによって、社会的に要請に応えることができ、廃棄物や二次廃棄物の活用に関する製造業者の負担が軽減される。さらに、本発明によれば、階層的で完全なリサイクルが可能となり、製品の性状、構造を熟知している製造業者が広域的に廃棄物リサイクル処理を実行することが可能となるため、広域認定制度にも十分対応した廃棄物管理システム及び廃棄物管理方法が実現する。
【００１９】
加えて、製造業者は、輸送業者による廃棄物の回収状況、処理業者への搬入状況を受信手段への通知によって確認することができる。また、廃棄物がセメントキルンに投入される際の映像が、製造業者に送信されるため、回収された廃棄物が確実に処理されたかどうかを製造業者が明確に把握することができる。したがって、製造業者に合法処分のエピデンスと安心感を与えることができる。
【発明を実施するための最良の形態】
【００２０】
以下、本発明の実施の形態について、添付の図面を用いて詳細に説明する。図１は、本発明の一実施形態に係る廃棄物管理方法の流れを示す概念図であり、図２は、図１に示す処理を実現する廃棄物管理システム１０の概念図である。
【００２１】
［輸送業者による回収段階］
製造業者１の製造した製品はユーザー３に販売される。輸送業者５は、ユーザー３から、廃棄物となった製品を回収する。輸送業者５には、製造業者１からＩＣタグ４、廃棄物収納容器１２、回収先を記載したユーザーリスト、搬送依頼情報等が提供されている。輸送業者５は、廃棄物収納容器１２に廃棄物を収納し、この容器にＩＣタグ４を装着して、ユーザー３から回収する。
【００２２】
ＩＣタグ４には、予め廃棄物を識別する廃棄物識別データが記憶されている。本実施形態において、廃棄物識別データは、廃棄物の種類識別データ（例えば、廃棄物の製品名や型番等）と、製造業者識別データを含む。この廃棄物識別データは、製造業者１がＩＣタグ４に予め記憶させている。また、本実施形態においては、製品の性状・組成データと、処理方法の適用可否データと、容器封入時の注意事項データと、搬送上の注意事項データと、リサイクル処理時注意事項データについても、製造業者１が予めＩＣタグ４に記憶させている。ここで、処理方法の適用可否データとは、ＩＣタグ４を装着した廃棄物がセメント工場でのリサイクル処理を行う廃棄物であるかを示す情報である。リサイクル処理時注意事項データとは、廃棄物処理施設（すなわち、セメント工場）で廃棄物を処理する際の注意事項データである。
【００２３】
廃棄物が収納されたＩＣタグ４装着廃棄物収納容器１２が、輸送業者５に回収された時に、ＩＣタグ４から送信された廃棄物識別データが、輸送業者５が所持するハンディ型リーダライタ（回収情報用リーダライタ）１４によって受信される。廃棄物識別データが受信されると、回収情報用リーダライタ１４に接続された回収情報通知部１５が、受信したことを製造業者のコンピュータの受信手段に通知する。
【００２４】
また、輸送業者５は、処理方法の適用可否データと、容器封入時の注意事項データと、搬送上の注意事項データとをリーダライタで読み取って、該リーダライタと接続された表示手段に表示させることにより、廃棄物がセメント工場に搬入されるべきものかの確認、容器封入時及び搬送上の注意事項の確認を行うことができる。
【００２５】
本実施形態においては、廃棄物の種類識別データと受信した時刻データとを回収情報通知部１５が製造業者の受信手段に送信することによって、製造業者への通知がなされる。加えて、回収情報通知部１５は、処理業者９のコンピュータの受信手段にもこの通知を行う。ここで、処理業者９は、廃棄物の搬入先であるセメント工場の運営者を意味する。回収情報通知部１５は、輸送業者の車に設置された通信設備を用いて送信を行う。
【００２６】
［分別処理施設段階］
輸送業者５が分別の必要な複数の廃棄物を回収した場合には、これらの廃棄物は、分別処理施設７に搬入される。廃棄物が収納されたＩＣタグ４装着廃棄物収納容器１２が、分別処理施設７に搬入された時に、ＩＣタグ４から送信された廃棄物識別データが、分別処理施設７に設置されたリーダライタ（分別情報用リーダライタ）１６によって受信される。受信された廃棄物識別データは、分別情報用リーダライタ１６と接続する表示手段によって、表示される。
【００２７】
表示された廃棄物の種類識別データによって、回収した複数の廃棄物を種類ごとに分別することができる。また、それぞれ異なる製造業者が製造した製品に係る複数の廃棄物を回収した場合には、表示された製造業者識別データに基づいて、製造業者ごとに廃棄物を分別することもできる。
【００２８】
［セメント工場内への搬入段階］
廃棄物が収納されたＩＣタグ４装着廃棄物収納容器１２が、セメント工場内に搬入された時に、ＩＣタグ４から送信された廃棄物識別データが、セメント工場の入り口に設置されたリーダライタ（搬入情報用リーダライタ）１８によって受信される。廃棄物識別データが受信されると、搬入情報用リーダライタ１８に接続された搬入情報通知部１９によって、前記受信したことを製造業者のコンピュータの受信手段に通知する。本実施形態においては、廃棄物の種類識別データと受信した時刻データとを搬入情報通知部１９が製造業者の受信手段に送信することによって、製造業者への通知がなされる。
【００２９】
［セメントキルンへの廃棄物投入段階］
セメント工場内に搬入されたＩＣタグ４装着廃棄物収納容器１２は、セメントキルンの投入口に続くベルトコンベヤにセットされる。ＩＣタグ４装着廃棄物収納容器１２が、このベルトコンベヤによって輸送され、ベルトコンベヤの近くに設置された撮影用リーダライタ２０の傍を通過した時に、ＩＣタグから送信された廃棄物識別データが、この撮影用リーダライタ２０によって受信される。撮影用リーダライタ２０が廃棄物識別データを受信すると、この撮影用リーダライタと接続された制御部２１は、撮影開始指示信号を撮影部２３に送信する。本実施形態において撮影部２３はテレビカメラであり、このテレビカメラはセメントキルン投入口を映し出すことが可能な位置に設置されている。撮影部２３は、受信した撮影開始指示信号によって起動する。
【００３０】
撮影部２３は、ＩＣタグ４装着廃棄物収納容器１２がセメントキルンへ投入される様子を撮影録画し、撮影を開始してから一定時間経過後に撮影を終了する。この一定時間は、撮影開始時点から、ＩＣタグ４装着廃棄物収納容器１２がセメントキルン内へ投入されるまでの時間である。本実施形態では、ＩＣタグ４装着廃棄物収納容器１２がセメントキルン内へ投入される様子が確実に撮影されるように、この一定時間は予め計算され決定されている。
【００３１】
撮影された映像には、ＩＣタグ４装着廃棄物収納容器１２がセメントキルンの投入口に投入される様子が画像として記録されている。この映像を、送信部２２が、製造業者１のコンピュータの受信手段に送信する。加えて、ユーザー３が映像の配信を希望している場合には、送信部２２はユーザー３のコンピュータの受信手段にも前記映像を送信する。なお、本実施形態においては、制御部２１と送信部２２とは、同一のコンピュータ内に格納されている。
【００３２】
［リサイクル処理段階］
セメントキルンに投入されたＩＣタグ４装着廃棄物収納容器１２は焼却されて、その熱エネルギーがセメント生産に利用される。すなわち、サーマルリサイクルが達成される。次いで、サーマルリサイクルの過程で産出された焼却灰等の二次廃棄物がセメントの材料として用いられ、マテリアルリサイクルが達成される。
【００３３】
また、処理業者９はＩＣタグ４から製品の性状・組成データと、リサイクル処理時注意事項データとをリーダライタで読み取って、該リーダライタに接続された表示手段に表示させることにより、これらの情報に基づいて、各廃棄物に応じた上記サーマルリサイクル及びマテリアルリサイクル処理を実行する。
【００３４】
上記実施形態では、処理業者が回収された廃棄物をセメント生産用の燃料及び原料として用いて、サーマルリサイクル及びマテリアルリサイクルを実現することにより、廃棄物の階層的で完全なリサイクルが達成される。したがって、製造業者にとっては、廃棄物や二次廃棄物の活用に関する負担が軽減される。
【００３５】
また、サーマルリサイクルによる焼却処理後の二次廃棄物について、焼却灰、汚泥、鋳物砂、鉄滓等幅広い廃棄物をセメントの原料として用いることができるため、広い地域に亘って複数種類の廃棄物を回収する場合であっても、上記実施形態に示す処理が可能である。したがって、上記実施形態に示す廃棄物管理システムは、広域認定制度の認可を受けて廃棄物処理を行う場合にも十分対応できるシステムとなっている。
【００３６】
加えて、製造業者は、輸送業者による廃棄物の回収状況、処理業者への搬入状況等をリアルタイムで確認することができる。更に、セメントキルンへ廃棄物が投入される状況を、画像データによって確実に確認することができるため、製造業者に合法処分のエピデンスと安心感を与えることができる。
【００３７】
上記実施形態における処理は、製造業者から輸送業者及び処分業者への委託処理が前提となっており、製造業者はこの処理を統括して管理する体制になっている。上記処理は製造業者とユーザー間の協力で実施され、製品を回収すべきユーザーリストは、輸送業者と製造業者に予め提供されている。なお、輸送業者及び処理業者から見ると、複数の製造業者について、上記処理を実行することが可能となる。すなわち、多様な製造元の廃棄物を取り扱う上で、ＩＣタグの情報を元に、情報のやりとり先（各製造業者）を自動的に切り替えて処理を行っていくことになる。
【００３８】
［他の実施形態］
ＩＣタグは、製造業者が販売する製品に予め組み込まれていてもよい。ＩＣタグに記憶されたデータは、輸送業者及び処理業者が適宜必要な作業段階においてリーダライタで読み出して、表示手段に表示させることにより、確認することができる。また、上記各通知部及び表示部は、演算手段を有するコンピュータの一部として実現される。
【００３９】
製造業者は、廃棄物の種類識別データと、製品の性状・組成データと、処理方法の適用可否データと、容器封入時の注意事項データと、搬送上の注意事項データと、リサイクル処理時注意事項データ等を格納したデータベースを記憶するサーバを備えることができる。この場合、ＩＣタグに格納された廃棄物識別データは、前記データベースのデータとリンクするＩＤデータと製造業者識別データとを備えており、輸送業者又は処理業者のリーダライタによってＩＣタグからＩＤデータが読み取られると、該リーダライタに接続されたコンピュータが、前記製造業者のサーバのデータベースにアクセスして、ＩＤデータと対応する上記各種データをコンピュータの表示手段に表示することができる。
【００４０】
ＩＣタグに格納された廃棄物識別データをリーダライタが読み取り、廃棄物を追跡管理する際に、リーダライタで情報をよみとって、製造業者、処理業者、ユーザー等に通知する処理は、必要に応じて、様々な段階で実行することができる。例えば、セメント工場内において、廃棄物の受付段階、廃棄物の保管段階、廃棄物をセメントキルンへ移動する段階等において、上記処理を実行することができる。
【００４１】
廃棄物をセメントキルンでリサイクル処理する際に、処理業者のリーダライタでＩＣタグに記憶されたリサイクル処理時注意事項データを読み出すと、該リーダライタにコンピュータを介して接続された各種装置が該データに対応して作動するように構成することができる。ここで、各種装置とは、セメントキルンで廃棄物を処理するために用いられる各種装置である。
【００４２】
送信部は、セメントキルンに投入される廃棄物の映像を製造業者に送信する際に、撮影用リーダライタが受信した廃棄物識別データと受信した時刻データについても製造業者の受信手段に送信することができる。また、必要に応じて、ユーザーの受信手段にも上記データを送信することができる。
【００４３】
本発明において用いられるＩＣタグは、通信距離と確実性を担保するために、従来の１３５ＫＨｚ、１３．５６ＭＨｚ、及び２．４５ＧＨｚ帯よりも比較的長距離の通信が可能な９５０ＭＨｚ帯のパッシブタグを用いるのが好ましい。
【００４４】
また、セメントキルンに、ＩＣタグ装着廃棄物処理容器が投入されることによって、リーダライタ２を介したＩＣタグ１からの送信が途絶えると、制御手段３が撮影手段４の撮影を終了させる撮影終了指示信号を撮影手段４に出力し、撮影手段４がそれを受信して撮影を終了してもよい。この場合、ＩＣタグ１からの送信が途絶える原因は、セメントキルンにＩＣタグからの送信を阻まれるからであってもよく、セメントキルンの中でＩＣタグが破壊されるからであってもよい。
【図面の簡単な説明】
【００４５】
【図１】本発明の一実施形態に係る廃棄物管理方法の流れを示す概念図である。
【図２】図２は、図１に示す処理を実現する廃棄物管理システムの概念図である。
【符号の説明】
【００４６】
１  製造業者
３  ユーザー
４  ＩＣタグ
５  輸送業者
７  分別施設
９  処理業者
１０  廃棄物管理システム
１２  廃棄物収納容器
１４  回収情報用リーダライタ
１５  回収情報通知部
１６  分別情報用リーダライタ
１７  表示部
１８  搬入情報用リーダライタ
１９  搬入情報通知部
２０  撮影用リーダライタ
２１  制御部
２２  送信部
２３  撮影部
【図１】
2008242920.tif 000003
【図２】
2008242920.tif 000004